(57)【要約】      （修正有）【課題】災害非常時用などとしてより有効なランタンを提供する。【解決手段】ランタン１は、大別して、台座部２と、その上部の照明部（発光部、電灯部）３と、更にその上部の発電ユニット部（手回しダイナモ）４と、を有している。台座部２は平面において略正六角形をなしたプラスチック成形の中空容体である。この台座部２の内部に、ＡＭ・ＦＭ・防災行政無線の受信回路を含む電気回路基板、スピーカー、電源などが内蔵されている。これにより、照明器具としての機能の他に、非常時災害時等には防災行政無線やコミュニティーＦＭを受信するラジオ機能により、当該自治体域（区、市、町、村）の防災行政情報や各種情報を得ることができて、適切な対処判断・行動をとることが可能となる。【選択図】図１
0003178533.tif 000002
【実用新案登録請求の範囲】
【請求項１】
防災行政無線を受信するラジオ機能を有することを特徴とするランタン。
【請求項２】
コミュニティーＦＭを受信するラジオ機能を有することを特徴とするランタン。
【請求項３】
防災行政無線を受信するラジオ機能とコミュニティーＦＭを受信するラジオ機能を有することを特徴とするランタン。
【請求項４】
手回し式発電機とこの発電機による発電で充電されるバッテリーを有することを特徴とする請求項１ないし３の何れか一項に記載のランタン。
【請求項５】
緊急サイレン発生機能を有することを特徴とする請求項１ないし４の何れか一項に記載のランタン。
【請求項６】
ＡＭ放送とＦＭ放送を受信するラジオ機能を有することを特徴とする請求項１ないし５の何れか一項に記載のランタン。
【請求項７】
電源出力端子と電源入力端子を有することを特徴とする請求項１ないし６の何れか一項に記載のランタン。
【考案の詳細な説明】
【技術分野】
【０００１】
本考案は、ランタン（携帯用照明装置）に関する。
【背景技術】
【０００２】
特許文献１には、ランタン機能、ライト機能、ラジオ機能、テレビ機能、警報機能を具備させた、キャンプ時や災害時等に使用する多機能型の携帯用照明装置が提案されている。
【先行技術文献】
【特許文献】
【０００３】
【特許文献１】特開平７−２１１１０２号公報
【考案の概要】
【考案が解決しようとする課題】
【０００４】
本考案は上記の従来技術を更に発展させたものであり、非常時災害対策用としてより有効なランタンの提供を目的とする。
【課題を解決するための手段】
【０００５】
本考案は、防災行政無線を受信するラジオ機能を有することを特徴とするランタンである。
【０００６】
また、本考案は、コミュニティーＦＭを受信するラジオ機能を有することを特徴とするランタンである。
【考案の効果】
【０００７】
本考案のランタンは、照明器具としての機能の他に、非常時災害時等には防災行政無線やコミュニティーＦＭを受信するラジオ機能により、当該自治体域（区、市、町、村）の防災行政情報や各種情報を得ることができて、適切な対処判断・行動をとることが可能となる。
【図面の簡単な説明】
【０００８】
【図１】実施例のランタンの正面図である。
【図２】実施例のランタンの背面図であり、発電用手回しハンドルを起した状態時を示している。
【図３】照明部を台座部の内部に格納して畳み込み状態にしたランタンの正面図である。
【図４】電気系統のブロック図である。
【考案を実施するための形態】
【０００９】
図１は本考案に係るランタン１の一実施例の正面図である。このランタン１は、大別して、台座部２と、その上部の照明部（発光部、電灯部）３と、更にその上部の発電ユニット部（手回しダイナモ）４と、を有している。
【００１０】
台座部２は平面において略正六角形をなしたプラスチック成形の中空容体である。この台座部２の内部に、ＡＭ・ＦＭ・防災行政無線の受信回路を含む電気回路基板２０（図４）、スピーカー２１、電源２３などが内蔵されている。本実施例のランタン１においては、電源２３は内蔵バッテリー２４／乾電池（単四×４本）２５としてある。
【００１１】
台座部２の正面側には、ラジオ選局つまみ５、ＡＭ・ＦＭ・防災行政無線切替スイッチ６、ＡＭ・ＦＭ・防災行政無線ＯＮ・ＯＦＦ／音量つまみ７が配設されている。台座部２の背面側には、ライトＯＮ・ＯＦＦ／調整つまみ８、緊急サイレンスイッチ９、電源出力端子（ＤＣ−ＯＵＴ）１０、電源入力端子（ＤＣ−ＩＮ）１１が配設されている。緊急サイレンスイッチ９はこれをＯＮすることによりスピーカー２１から緊急サイレンを発音させることができる。電源出力端子１０はこの端子から接続ケーブルやアダプターを介して携帯電話等の充電が可能である。電源入力端子１１はパソコンとＵＳＢで接続して或いはＡＣアダプターを介して外部電源から内蔵バッテリー２４に対して充電ができる。また、台座部２には伸縮可能なロッドアンテナ１２が配設されている。
【００１２】
照明部３はプラスチック成形の光拡散性を有する円筒状グローブ１３とその内部に配設された複数個の高輝度白色ＬＥＤ２２とで構成されている。本実施例のランタン１においてはＬＥＤ２２を１５個配設してある。そして、前記のライトＯＮ・ＯＦＦ／調整つまみ８によりＬＥＤ２２を全１５個発光させた高照度点灯状態（ＨＩ）と９個発光させた低照度点灯状態（ＬＯ）とに調整可能としてある。
【００１３】
発電ユニット部４は手回し式発電機（手回しダイナモ）であり、照明部３の頂部に固定された発電機本体部１４とこの発電機本体部１４に対して回転可能なロータリ部１５とを有する。ロータリ部１５には発電用手回しハンドル１６が設けられている。このハンドル１６は図２のように立て起した状態と、図１・図３のようにロータリ部１５の上面の溝部１７に倒し込んで収納した状態とに状態転換することができる。発電をする場合にはハンドル１６を図２のように立て起してロータリ部１５を発電機本体部１４に対して回転させる。これにより発電がなされて内蔵バッテリーに対する充電がなされる。
【００１４】
また、発電ユニット部４の発電機本体部１４にはランタン１を吊り下げるＵ字の持ち手１８が設けられている。この持ち手１４は図１のようにロータリ部１５の上側に立て起した状態と図２・図３のように発電機本体部１４の側方に倒し込んで収納した状態とに状態転換することができる。
【００１５】
また、照明部３を台座部２に対して上下にスライド移動可能に構成する。そして、ランタン１の不使用時や物流時には図３のように照明部３を台座部２の内部に押し込んで移動させて格納した状態にする。これにより、ランタン１がコンパクト化されて便利である。
【００１６】
防災行政無線受信回路は予め定めた特定の自治体（当該行政地域：区、市、町、村）に対応した周波数固定タイプとしてある。つまみ７をＯＮ（電源−ＯＮ）にした状態でスイッチ６を「ＡＭ」或いは「ＦＭ」或いは「防災行政無線」に入れておけば緊急時の防災無線は自動で受信する。ＡＭ／ＦＭを聴いているときも自動的に切り替わり防災行政無線を受信する。
【００１７】
本考案のランタンは上記のように周波数固定された当該行政地域の防災行政無線を受信するラジオ機能を有することを特徴とする。これにより、災害非常時には防災行政無線の受信により当該地域の防災行政情報を得ることができて、適切な対処判断・行動をとることが可能となる。当該自治体域の防災行政無線のみを受信するので、選局操作の必要性がなくて、老人や子供でも難なく受信できて効果的である。
【００１８】
また、当該行政地域に対応した周波数（特定バンド）固定タイプのコミュニティーＦＭを受信するラジオ機能を具備させることで、当該地域の各種情報を得ることができて便利である。
【符号の説明】
【００１９】
１・・ランタン、２・・台座部、３・・照明部（発光部、電灯部）、４・・発電ユニット部、５・・ラジオ選局つまみ、６・・ＡＭ・ＦＭ・防災行政無線切替スイッチ、７・・ＡＭ・ＦＭ・防災行政無線ＯＮ・ＯＦＦ／音量つまみ、８・・ライト調整つまみ、９・・緊急サイレンスイッチ、１０・・電源出力端子、１１・・電源入力端子、１２・・ロッドアンテナ、１３・・光拡散性を有する円筒状グローブ、１４・・発電機本体部、１５・・ロータリ部、１６・・発電用手回しハンドル、１７・・ハンドル収納溝部、１８・・ランタン吊り下げ持ち手
【図１】
0003178533.tif 000003
【図２】
0003178533.tif 000004
【図３】
0003178533.tif 000005
【図４】
0003178533.tif 000006